(57)【要約】【課題】インパクトレンチの差込角への脱着が容易な取付具の提供【解決手段】インパクトレンチ５０に装着可能な取付具１０であって、挿入孔１１ｃ、接続部（ソケット）１１ｄを備える本体部材１１と、貫通孔１１ｅの中に収容された係止部材１４と、一端１１ａ側の外周を本体部材１１の軸方向（Ａ）に摺動可能に配置された移動部材１２と、移動部材１２の脱落を防止する脱落規制部材１５とを備え、貫通孔１１ｅの内周面側開口部の内径が、係止部材１４の最大外径より小さく、貫通孔１１ｅの外周面側開口部の内径が、係止部材１４の最大外径より大きく、係止部材１４の外周面側の先端が前記凸部１２ｂに接触すると、係止部材１４の内周面側の先端が差込角５０ａの留め穴５０ｂに嵌合し、係止部材１４の外周面側の先端が凹部１２ａに収容されると、係止部材１４の内周面側の先端を差込角５０ａの留め穴５０ｂから取り外すことが可能である。【選択図】  図２
2018144175.tif 000002
【特許請求の範囲】
【請求項１】
留め穴を有する差込角を備えるインパクトレンチに装着可能な取付具であって、
一端に前記差込角を挿入可能な挿入孔、他端に接続部を備える筒状の本体部材と、
前記本体部材の前記一端側に外周面から内周面まで径方向に貫通するよう設けられた貫通孔の中に収容された前記差込角を係止する係止部材と、
前記一端側の外周を前記本体部材の軸方向に摺動可能に配置され、内面に凹部と凸部とを備える中空状の移動部材と、
前記移動部材が前記一端側から脱落するのを防止する、脱落規制部材とを備え、
前記径方向において、前記貫通孔の内周面側開口部における内径が、前記係止部材の最大外径より小さく、前記貫通孔の外周面側開口部における内径が、前記係止部材の最大外径より大きく、
前記径方向からみたとき、前記軸方向において、前記移動部材の前記凸部が前記貫通孔と重なるとき、前記係止部材の外周面側の先端が前記凸部に接触し、前記係止部材の内周面側の先端が前記内周面側開口部から突出することにより前記差込角の留め穴に嵌合し、前記移動部材の前記凹部が前記貫通孔と重なるとき、前記係止部材の外周面側の先端が前記凹部に収容され、前記係止部材の内周面側の先端が前記貫通孔の内周面側開口部から後退することにより、前記差込角の留め穴から取り外すことが可能となる、
インパクトレンチ用取付具。
【請求項２】
前記係止部材が、前記径方向の長さが前記軸方向の長さよりも長い棒体、または、前記径方向に複数並べた球体で構成されている、
請求項１に記載のインパクトレンチ用取付具。
【請求項３】
前記本体部材の前記一端側の外周面と前記移動部材の内周面側との間に収容され、前記移動部材を前記一端側に付勢する弾性部材を備える、
請求項１または２に記載のインパクトレンチ用取付具。
【請求項４】
前記貫通孔が複数設けられており、それぞれの貫通孔の中に前記係止部材が収容された、
請求項１から３までのいずれかに記載のインパクトレンチ用取付具。
【請求項５】
前記接続部が、六角又は十二角のソケットからなる、
請求項１から４までのいずれかに記載のインパクトレンチ用ソケット。
【発明の詳細な説明】
【技術分野】
【０００１】
本発明は、インパクトレンチ用取付具またはインパクトレンチ用ソケットに関する。
【背景技術】
【０００２】
図１に示すように、インパクトレンチ５０は、先端に差込角５０ａを有している。差込角５０ａは、例えば、一辺の長さが１９ｍｍまたは１２．７ｍｍの四角柱形状を有している。インパクトレンチ５０は、差込角５０ａにソケットなどの取付具６０を装着した状態で、ボルト、ナットなどの各種ネジの締付作業などに使用される。
【０００３】
ここで、インパクトレンチ５０は、取付具の装着部である差込角５０ａがある程度の厚みを有しているので、装着部として６．３５ｍｍ径のビット軸を用いるインパクトドライバに比べて、高いトルクの締付作業を行うことが可能である。
【０００４】
しかし、図１に示すように、インパクトレンチ５０の差込角５０ａにソケットなどの取付具６０を装着する際には、差込角５０ａの留め穴５０ｂと、取付具６０の凹溝６０ａ内に設けられたピンホール６０ｂとが対向するように、差込角５０ａを取付具６０に挿入し、この状態で、留め穴５０ｂおよびピンホール６０ｂに柱状のピン６０ｄを挿入し、さらに、ゴム製のＯリング６０ｃを凹溝６０ａに装着することにより、取付具６０の差込角５０ａからの脱落を防止している。
【０００５】
このような装着機構は、例えば、特許文献１および特許文献２などに開示された取付具においても採用されている。
【先行技術文献】
【特許文献】
【０００６】
【特許文献１】特開２０１１−１６７７９１号公報
【特許文献２】特開２０１５−３６１８７号公報
【発明の概要】
【発明が解決しようとする課題】
【０００７】
しかし、例えば、建設現場などにおいては、複数のソケット径を適宜切り替えて使用する必要があることも多く、Ｏリング６０ｃとピン６０ｄを用いる装着機構では、脱着作業に長時間を要し、またソケットの切り替え途中でＯリング６０ｃやピン６０ｄを紛失することもあり、作業性が悪い。また、ゴム製のＯリング６０ｃが劣化した場合には、作業途中で取付具が脱落する可能性もある。
【０００８】
本発明は、従来技術の問題を解決するべくなされたものであり、インパクトレンチ５０の差込角５０ａへの取付具６０の装着または取外しを容易に行うことができるインパクトレンチ用取付具またはインパクトレンチ用ソケットを提供することを目的としている。
【課題を解決するための手段】
【０００９】
本発明は、下記のインパクトレンチ用取付具またはインパクトレンチ用ソケットを要旨とする。
（１）留め穴を有する差込角を備えるインパクトレンチに装着可能な取付具であって、
一端に前記差込角を挿入可能な挿入孔、他端に接続部を備える筒状の本体部材と、
前記本体部材の前記一端側に外周面から内周面まで径方向に貫通するよう設けられた貫通孔の中に収容された前記差込角を係止する係止部材と、
前記一端側の外周を前記本体部材の軸方向に摺動可能に配置され、内面に凹部と凸部とを備える中空状の移動部材と、
前記移動部材が前記一端側から脱落するのを防止する、脱落規制部材とを備え、
前記径方向において、前記貫通孔の内周面側開口部における内径が、前記係止部材の最大外径より小さく、前記貫通孔の外周面側開口部における内径が、前記係止部材の最大外径より大きく、
前記径方向からみたとき、前記軸方向において、前記移動部材の前記凸部が前記貫通孔と重なるとき、前記係止部材の外周面側の先端が前記凸部に接触し、前記係止部材の内周面側の先端が前記内周面側開口部から突出することにより前記差込角の留め穴に嵌合し、前記移動部材の前記凹部が前記貫通孔と重なるとき、前記係止部材の外周面側の先端が前記凹部に収容され、前記係止部材の内周面側の先端が前記貫通孔の内周面側開口部から後退することにより、前記差込角の留め穴から取り外すことが可能となる、
インパクトレンチ用取付具。
【００１０】
上記（１）のインパクトレンチ用取付具において、前記係止部材は、前記径方向の長さが前記軸方向の長さよりも長い棒体、または、前記径方向に複数並べた球体で構成されていてもよい。前記本体部材の前記一端側の外周面と前記移動部材の内周面側との間に収容され、前記移動部材を前記一端側に付勢する弾性部材を備えていてもよい。前記貫通孔が複数設けられており、それぞれの貫通孔の中に前記係止部材が収容されていてもよい。インパクトレンチ用取付具は、例えば、前記接続部が、六角又は十二角のソケットからなる、インパクトレンチ用ソケットである。
【発明の効果】
【００１１】
本発明によれば、インパクトレンチの差込角への取付具の装着または取外しを容易に行うことができる。
【図面の簡単な説明】
【００１２】
【図１】従来技術におけるインパクトレンチの差込角への取付具の装着機構を示す図
【図２】本実施形態に係るインパクトレンチ用ソケットの外観形状を示す図
【図３】本実施形態に係るインパクトレンチ用ソケットの断面図
【図４】本実施形態に係るインパクトレンチ用ソケットの係止部材の例を示す図（ａ）一つの球体で構成した係止部材（ｂ）棒体で構成した係止部材（ｃ）二つの球体で構成した係止部材
【図５】本実施形態に係るインパクトレンチ用ソケットの使用時の状態を示す図（ａ）本体部材の一端側から見た図（ｂ）本体部材の正面から見た部分断面図（ｃ）本体部材の他端側から見た図
【図６】本実施形態に係るインパクトレンチ用ソケットを取り外した状態を示す図
【図７】他の実施形態に係るインパクトレンチ用取付具を示す図（ａ）本体部材の一端側から見た図（ｂ）本体部材の正面から見た部分断面図（ｃ）本体部材の他端側から見た図
【発明を実施するための形態】
【００１３】
以下、図を用いて、主としてインパクトレンチ用ソケットを例にとって本実施形態に係るインパクトレンチ用取付具を説明する。図に示す例は、六角ソケットを備えるソケットであるが、その形状は、十二角ソケットであってもよい。
【００１４】
図２および図３に示すように、本実施形態に係るインパクトレンチ用ソケット１０は、留め穴５０ｂを有する差込角５０ａを備えるインパクトレンチ５０に装着可能である。本実施形態に係るインパクトレンチ用ソケット１０の筒状の本体部材１１は、一端１１ａに差込角５０ａを挿入可能な挿入孔１１ｃ、他端１１ｂにソケット（接続部）１１ｄを備える。
【００１５】
移動部材１２は、中空状のスリーブ部材であって、一端１１ａ側の外周を本体部材１１の軸方向（図２中の矢印Ａの方向）に摺動可能に配置され、内面に凹部１２ａと凸部１２ｂとを備える。本体部材１１の一端１１ａ側の外周面と移動部材１２の内周面との間には、ばね（弾性部材）１３が収容されている。本体部材１１の外周面には、一端１１ａから移動部材１２の内面に対応する位置に外径が一定である小径部があり、その小径部よりも外径が大きいが、移動部材１２の他端１１ｂ側の内径よりも小さい大径部１１ｆが設けられている。そして、ばね１３は、一方の端部（図３中において右側端部）が、本体部材１１の外周面側に設けられた大径部１１ｆの一端１１ａ側を向いた側面に接触しており、他方の端部（図３中左側の端部）が、移動部材１２の凸部１２ｂの他端１１ｂを向いた側面に接触しており、移動部材１２を一端１１ａ側に付勢している。
【００１６】
係止部材１４は、本体部材１１の一端１１ａ側に外周面から内周面まで径方向に貫通するよう設けられた貫通孔１１ｅの中に収容されており、インパクトレンチ５０の差込角５０ａを係止することができる。この貫通孔１１ｅは、径方向において、貫通孔１１ｅの内周面側開口部における内径が、係止部材１４の最大外径より小さく、貫通孔１１ｅの外周面側開口部における内径が、係止部材１４の最大外径より大きい。このため、係止部材１４を外周面側開口部から装入することが可能である一方で、内周面側開口部から脱落することがない。
【００１７】
図２および図３に示す例では、二つの貫通孔１１ｅをそれぞれに対応する位置に設けたインパクトレンチ用ソケット１０を示しているが、貫通孔１１ｅの数および位置は図に示す例に限定されない。一つの貫通孔１１ｅを設けたものであってもよいし、三つ以上の貫通孔１１ｅを任意の位置（例えば、等間隔）に設けたものであってもよい。ただし、脱落防止の観点からは二つ以上の貫通孔１１ｅを設けるのが好ましい。また、製造コストの観点および剛性の観点からは、貫通孔１１ｅの数は少ないことが好ましく、三つ以下、特に二つが好ましい。
【００１８】
なお、インパクトレンチの持手部から先端工具（図２、図３に示す例ではソケット）までの距離は、インパクトレンチを用いる作業者にとって、その締め付け作業の精度や作業性を大きく左右する要素であり、この距離はできる限り短いことが好ましい。そこで、係止部材１４の形態は、前記径方向の長さが前記軸方向の長さよりも長い棒体、または、前記径方向に複数並べた球体で構成されているのが好ましい。この理由を図４に基づいて説明する。
【００１９】
図４には、係止部材の例を示している。本体部材１１には、インパクトレンチのトルクが掛かるため、高い剛性が要求され、ある程度の肉厚を確保する必要がある。そして、インパクトレンチの差込角５０ａの留め穴５０ｂに係止部材を挿入して脱落を防止するためには、ある程度の突出量を確保する必要がある。
【００２０】
例えば、図４（ａ）に示すように、一つの球体からなる係止部材１４ａを用いる場合に、ある程度の突出量（ｈ０）を確保しようとすると、係止部材１４ａを構成する球体の最大径部を大きくせざるを得ず、貫通孔の外周面側開口部の内径（Ｗ０）を大きくする必要がある。その結果、本体部材１１を長くしなければならず、また、移動部材１２の凹部１２ａ、凸部１２ｂともに大きくして、移動部材１２全体の長さも長くしなければならなくなる。そうすると、インパクトレンチの持手部から先端工具（図２、図３に示す例ではソケット）までの距離が長くなり、また、インパクトレンチ用取付具自体の質量も増加して、作業性を著しく劣化させる。
【００２１】
これに対して、図４（ｂ）に示す径方向の長さが前記軸方向の長さよりも長い棒体で構成される係止部材１４ｂ、または、図４（ｃ）に示す、径方向に複数並べた球体で構成される係止部材１４ｃであれば、それらの突出量（ｈ１、ｈ２）を、図４（ａ）に示す一つの球体からなる係止部材１４ａと同程度以上とすることができる一方で、貫通孔の外周面側開口部の内径（Ｗ１、Ｗ２）を格段に小さくすることができる。また、移動部材１２の凹部１２ａ、凸部１２ｂともに小さくすることができる。よって、インパクトレンチの使用時の締め付け作業の精度や作業性を格段に向上することができる。
【００２２】
前述のように、移動部材１２は、ばね１３によって一端１１ａ側（図３の左方向）に付勢されており、脱落規制部材１５は、移動部材１２が一端１１ａ側から脱落するのを防止している。その結果、常時、つまり移動部材１２に外力が付与されない状態においては、径方向からみたとき、本体部材１１の軸方向において、移動部材１２の凸部１２ｂが貫通孔１１ｅと対向する位置で重なった状態で保持されることになる。このばね１３の力に反して、移動部材１２を他端１１ｂ側（図中の右方向）に摺動すると、移動部材１２の径方向からみたとき、本体部材１１の軸方向において、移動部材１２の凸部１２ｂが貫通孔１１ｅと対向する位置に移動することができる。
【００２３】
脱落規制部材１５としては、例えば、Ｃリングと、本体部材１１の一端１１ａの外周面に設けられたリング溝とによって構成することができる。この構成であれば、例えば、本体部材１１の一端１１ａ側からその外周面にばね１３および移動部材１２を挿入し、ばね１３の力に反して移動部材１２を他端１１ｂ側に押し込んだ状態で、Ｃリング１５を本体部材１１の一端１１ａの外周面に設けられたリング溝にはめ込む。これにより一端１１ａ側にある移動部材１２の端部がＣリング１５と接触するので、移動部材１２の脱落を規制することができる。
【００２４】
ここで、図５に示すように、径方向からみたとき、軸方向（図中Ａの方向）において、移動部材１２の凸部１２ｂが貫通孔（図５において図示省略、図３の符号１１ｅ）と重なるとき、係止部材１４の外周面側の先端が前記凸部１２ｂに接触し、係止部材１２の内周面側の先端が内周面側開口部から突出することにより差込角の留め穴（図５において図示省略、図２の符号５０ｂ）に嵌合する。この状態であれば、インパクトレンチ用ソケット１０は、インパクトレンチから脱落することなく使用することができる。
【００２５】
一方、図６に示すように、移動部材１２の凹部１２ａが貫通孔（図６において図示省略、図３の符号１１ｅ）と重なるとき、係止部材１４の外周面側の先端が凹部１２ａに収容され、係止部材１４の内周面側の先端が貫通孔の内周面側開口部から後退することにより、差込角の留め穴（図６において図示省略、図２の符号５０ｂ）から取り外すことが可能となる。
【００２６】
本実施形態に係るインパクトレンチ用ソケット１０は、このような構成を有しているので、その使用時にはインパクトレンチから脱落することなく、また、その取り外しが容易である。
【００２７】
以上、インパクトレンチ用ソケット１０を例にとって説明したが、インパクトレンチ要ソケット用取付具は、接続部の形状がソケットであるものに限定されない。
【００２８】
図７に示すように、本実施形態に係るインパクトレンチ用取付具１０ａは、図２および図３に示す例と同様に、留め穴５０ｂを有する差込角５０ａを備えるインパクトレンチ５０に装着可能である。また、本実施形態に係るインパクトレンチ用取付具１０ａは、一端１１ａに差込角５０ａを挿入可能な挿入孔１１ｃを備える、筒状の本体部材１１と、一端１１ａ側の外周を本体部材１１の軸方向（図２中の矢印Ａの方向）に摺動可能に配置され、内面に凹部１２ａと凸部１２ｂとを備える、移動部材１２と、一方の端部（図３中において右側端部）が、本体部材１１の外周面側に設けられた大径部１１ｆの一端１１ａ側を向いた側面に接触しており、他方の端部（図３中左側の端部）が、移動部材１２の凸部１２ｂの他端１１ｂを向いた側面に接触しており、移動部材１２を一端１１ａ側に付勢しているばね１３と、本体部材１１の一端１１ａ側に外周面から内周面まで径方向に貫通するよう設けられた貫通孔１１ｅの中に収容されており、インパクトレンチ５０の差込角５０ａを係止することができる係止部材１４とを備えている点も同様である。
【００２９】
図７に示すように、本実施形態に係るインパクトレンチ用取付具１０ａは、本体部材１１に他端１１ｂ側に、首振り機構を有する差込角本体２０を装着している。特に、図７に示す差込角本体２０は、一端にボール部２０ｂと、ボール部２０ｂの他端側の近接した位置に小径部２０ｃとを備え、他端に差込角２０ａを備えている。そして、ボール部２０ｂは、本体部材１１の他端１１ｂ側に設けられた開口部１１ｇに挿入されている。開口部１１ｇ内の底部には、ばね２１が装着され、ばね２１がボール部２０ｂに接触しており、差込角本体２０が押し出される方向に付勢されている。開口部１１ｇの開口端付近の内面にはリング溝が設けられており、そのリング溝内にＣリング２２が装着されており、差込角本体２０が本体部材１１から脱落するのを規制している。
【００３０】
そして、この差込角２０ａの先端には、従来、インパクトレンチに用いられてきた、Ｏリング６０ｃとピン６０ｄを用いる装着機構を有する取付具（図１の符号６０）を装着することができる。このように、このインパクトレンチ用取付具１０ａは、従来型の取付具と、インパクトレンチとの装着作業を容易にする、アタッチメントとして使用することも可能である。
【００３１】
図７に示すインパクトレンチ用取付具１０ａは、首振り機構を有しているので、差込角２０ａの向きを様々変更することが可能である。このため、例えば、壁際などのインパクトレンチ本体が接触するなどして締め付け作業が困難な場所での作業性を向上させることが可能である。なお、首振り機構を有しない構成、すなわち、本体部材１１の他端１１ｂの開口部１１ｇに代えて、差込角２０ａを設けた構成とすることも可能である。
【産業上の利用可能性】
【００３２】
本発明によれば、インパクトレンチの差込角への取付具の装着または取外しを容易に行うことができる。
【符号の説明】
【００３３】
１０      本実施形態に係るインパクトレンチ用ソケット
１０ａ    本実施形態に係るインパクトレンチ用取付具
１１      本体部材
１１ａ    一端
１１ｂ  他端
１１ｃ  挿入孔
１１ｄ  ソケット（接続部）
１１ｅ  貫通孔
１１ｆ  大径部
１１ｇ  開口部
１２      移動部材
１２ａ  凹部
１２ｂ  凸部
１３      ばね（弾性部材）
１４      係止部材
１４ａ〜１４ｃ  係止部材
１５      Ｃリング（脱落規制部材）
２０      差込角本体
２０ａ  差込角
２０ｂ  ボール部
２０ｃ  小径部
２１      ばね（弾性部材）
２２      Ｃリング（脱落規制部材）
５０      インパクトレンチ
５０ａ  差込角
５０ｂ  留め穴
６０      取付具
６０ａ  凹溝
６０ｂ  ピンホール
６０ｃ  Ｏリング
６０ｄ  ピン
【図１】
2018144175.tif 000003
【図２】
2018144175.tif 000004
【図３】
2018144175.tif 000005
【図４】
2018144175.tif 000006
【図５】
2018144175.tif 000007
【図６】
2018144175.tif 000008
【図７】
2018144175.tif 000009